(57)【要約】      （修正有）【課題】車両の現在位置が移動することにより端末連携技術が機能しなくなるときには、当該技術が機能しなくなることを利用者に認識させる通信装置を提供する。【解決手段】通信装置と近距離無線通信が可能な放送受信装置の制御ユニット１９０において、処理管理部１９２は、サーチ実行部１９３によりサーチされた代替局がサーチ処理を行う前に選局していた放送局と、同一の放送番組に関連する通信コンテンツに関する情報を送信しているか否かを判定する。そして、処理管理部１９２は、当該判定の結果に基づいて通信コンテンツの提示制御情報を生成し、放送通信連携サービス実行部１９４へ送る。放送通信連携サービス実行部１９４は、提示制御情報の内容のメッセージの映像データを生成すべき映像作成指令を生成する。また、提示制御情報を通信装置へ送信する。【選択図】図５
2020025274.tif 000002
【特許請求の範囲】
【請求項１】
放送局から送信された放送波を受信する放送受信装置から、選局切替先の代替局が選局切替前の放送局と同一の放送番組に関連する通信コンテンツに関する情報を送信しているかの判定の結果に基づいて生成された通信コンテンツの提示制御情報を受信する第１取得部と；
外部サーバにアクセスして、放送番組に関連する通信コンテンツを取得する第２取得部と；
前記第１取得部による取得結果に基づいて、前記第２取得部が取得する通信コンテンツの提示を制御する制御部と；
を備えることを特徴とする通信装置。
【発明の詳細な説明】
【技術分野】
【０００１】
本発明は、放送受信装置、通信装置、通信コンテンツ提示制御方法、通信コンテンツ提示制御プログラム、及び、当該通信コンテンツ提示制御プログラムが記録された記録媒体に関する。
【背景技術】
【０００２】
近年、放送と通信とを組み合せた放送通信連携システムの実用化が開始された。この放送通信連携システムは、放送受信装置が放送局から放送される放送コンテンツ（地上デジタル放送）を受信するとともに、サービス事業者からインターネット等の電気通信回線を介して配信される通信コンテンツを受信し、放送コンテンツと通信コンテンツとを連携して再生するサービスである。こうした通信コンテンツの内容としては、放送番組に関連する情報や、天気情報や株式情報といった放送番組とは関連しない情報が含まれている。
【０００３】
そして、放送通信連携システムの実用化に伴い、地上デジタル放送における番組映像と同時に、通信コンテンツに基づく映像を表示する技術が提案されている（特許文献１参照：以下、「従来例」と呼ぶ）。この従来例の技術では、番組映像と同時に通信コンテンツに基づく映像を表示している際に、放送コンテンツにより緊急警報信号や緊急地震速報などの緊急又は重要な情報を受信した場合には、通信コンテンツに基づく映像の表示を強制的に中止して、当該放送コンテンツに含まれる緊急又は重要な情報の映像を表示するようになっている。
【先行技術文献】
【特許文献】
【０００４】
【特許文献１】特開２０１２−２５７２２７号公報
【発明の概要】
【発明が解決しようとする課題】
【０００５】
さて、近年においては、スマートフォンやタブレット端末等の通信端末が広く普及し、移動体通信を行う環境が整備されてきている。こうした通信環境の整備に伴い、放送通信連携システムを利用する場合に、放送受信装置と通信端末とを連携させて、放送受信装置が受信した放送番組に関する通信コンテンツの取得・更新情報等を通信端末へ送信し、通信端末が、当該情報に基づいて、通信コンテンツをサービス事業者のコンテンツサーバから取得する構成（以下、「端末連携技術」とも記す）が採用されてきている。こうした端末連携技術を採用することにより、放送受信装置や通信端末の表示部を用いた多様な情報提供や、使用しやすいユーザーインターフェイスを実現することができるようになっている。
【０００６】
ところで、地上デジタル放送を受信して再生する放送受信装置が車両等の移動体に配置される場合には、移動体の移動に伴い受信可能な放送局が変化することがある。そして、代替局サーチにより受信可能な放送局が変化した場合に、選局切替先の放送局（代替局）が、選局切替前の放送局の系列局であり、選局切替前の放送番組と選局切替先の放送番組とが同一でないときには、放送受信装置では、選局切替先の放送番組の放送コンテンツの再生処理を行うとともに、当該選局切替先の放送番組に関する通信コンテンツに基づく映像を表示する。一方、通信端末では、利用者が選局切替先の放送局が配信するアプリケーションを起動しない限りは、選局切替前の放送番組に関する通信コンテンツに基づく映像を表示し続けることがある。この結果、かかる場合に、放送通信連携システムにおける端末連携技術が機能しないことがある。
【０００７】
また、放送受信装置が移動体に配置される場合には、放送受信装置による放送受信の環境は、移動体の移動に伴って変化する。かかる受信環境の変化によって、放送波の受信状態が良好でＢ階層放送（１２セグ放送）の放送コンテンツを再生しているときには、放送波から放送番組に関する通信コンテンツの取得・更新情報等を取得し、放送通信連携サービスを利用することができる。一方、放送波の受信状態がＢ階層の放送コンテンツを継続的に再生できるほどには良好でなく、Ａ階層放送（ワンセグ放送）の放送コンテンツを再生しているときには、放送番組に関する通信コンテンツの取得・更新情報等を放送波から取得することができず、放送通信連携サービスを利用することができない。
【０００８】
ところで、放送受信装置が、Ａ階層放送の放送コンテンツを再生している期間には、通信端末は、放送番組に関する最新の通信コンテンツの取得・更新情報等を取得できないため、最新でない放送番組に関する通信コンテンツの取得・更新情報等に基づいて、放送番組に関する通信コンテンツに基づく映像を表示し続けることがある。この結果、かかる受信状態に応じてＢ階層放送からＡ階層放送への切替が発生している場合にも、放送通信連携システムにおける端末連携技術が機能しないことがある。
【０００９】
こうした端末連携技術が機能しなくなる現象は、利用者の意図した行為ではなく、代替局の自動サーチ処理や階層放送の自動選択処理に起因して発生する。このため、利用者がかかる現象の発生を認識できないまま、通信端末に放送番組に関する通信コンテンツに基づく映像を表示し続けることがある。かかる事態は、放送通信連携システムの端末連携技術を快適に利用する観点から、好ましくない場合が多い。したがって、端末連携技術が機能しなくなる場合には、その旨を、利用者に認識させることが重要である。
【００１０】
しかしながら、上述した従来例の技術では、放送受信装置を移動体に搭載した場合に、移動体の移動に伴い放送通信連携システムの端末連携技術が機能しなくなるときに、その旨を利用者に対して積極的に認識させるための対策を講じていない。したがって、従来例の技術では、移動体の移動に伴って端末連携技術が機能しなくなる現象を、利用者が認識できないことがある。
【００１１】
このため、移動体の現在位置が移動することにより端末連携技術が機能しなくなるときには、当該技術が機能しなくなることを利用者に認識させて、利用者が、放送通信連携システムの端末連携技術を快適に利用することができる技術が望まれている。かかる要請に応えることが、本発明が解決すべき課題の一つとして挙げられる。
【課題を解決するための手段】
【００１２】
請求項１に記載の発明は、放送局から送信された放送波を受信して処理する受信処理部と；選局された放送局の代替局を探索する探索部と；前記探索部が探索した代替局が、選局切替前の放送局と同一の放送番組に関連する通信コンテンツに関する情報を送信しているかを判定し、前記判定の結果に基づいて前記通信コンテンツの提示制御情報を生成し、放送番組に関連する通信コンテンツを取得する通信装置へ送信する制御部と；を備えることを特徴とする放送受信装置である。
【００１３】
請求項７に記載の発明は、放送局から送信された放送波を受信する放送受信装置から、選局切替先の代替局が選局切替前の放送局と同一の放送番組に関連する通信コンテンツに関する情報を送信しているかの判定の結果に基づいて生成された通信コンテンツの提示制御情報を受信する第１取得部と；外部サーバにアクセスして、放送番組に関連する通信コンテンツを取得する第２取得部と；前記第１取得部による取得結果に基づいて、前記第２取得部が取得する通信コンテンツの提示を制御する制御部と；を備えることを特徴とする通信装置である。
【００１４】
請求項１０に記載の発明は、放送局から送信された放送波を受信して処理する受信処理部を備える放送受信装置において使用される通信コンテンツ提示制御方法であって、選局された放送局の代替局を探索する探索工程と；前記探索工程において探索した代替局が、選局切替前の放送局と同一の放送番組に関連する通信コンテンツに関する情報を送信しているかを判定し、前記判定の結果に基づいて前記通信コンテンツの提示制御情報を生成し、放送番組に関連する通信コンテンツを取得する通信装置へ送信する制御工程と；を備えることを特徴とする通信コンテンツ提示制御方法である。
【００１５】
請求項１１に記載の発明は、放送受信装置が有するコンピュータに、請求項１０に記載の通信コンテンツ提示制御方法を実行させる、ことを特徴とする通信コンテンツ提示制御プログラムである。
【００１６】
請求項１２に記載の発明は、放送受信装置が有するコンピュータにより読み取り可能に、請求項１１に記載の通信コンテンツ提示制御プログラムが記録されている、ことを特徴とする記録媒体である。
【図面の簡単な説明】
【００１７】
【図１】本発明の一実施形態に係る放送受信装置及び通信装置の位置付けを説明するための図である。
【図２】図１の放送受信装置の構成を概略的に示すブロック図である。
【図３】図２の再生処理ユニットの構成を示すブロック図である。
【図４】図３の放送コンテンツ処理部の構成を示すブロック図である。
【図５】図２の制御ユニットの構成を示すブロック図である。
【図６】図５の記憶部における記憶内容を説明するための図である。
【図７】図６のサーチリストの内容を説明するための図である。
【図８】図１の通信装置の構成を概略的に示すブロック図である。
【図９】図５の処理管理部による制御処理を説明するためのフローチャートである。
【図１０】図９の「提示制御情報の生成処理」を説明するためのフローチャートである。
【図１１】図１０の「系列局対応処理」を説明するためのフローチャートである。
【図１２】図５のサーチ実行部による代替局のサーチ処理を説明するためのフローチャートである。
【図１３】図１２の「第１決定処理」を説明するためのフローチャートである。
【図１４】図１３の「代替局決定処理」を説明するためのフローチャートである。
【図１５】図１２の「第２決定処理」を説明するためのフローチャートである。
【発明を実施するための形態】
【００１８】
以下、本発明の一実施形態を、図１〜図１５を参照して説明する。なお、以下の説明及び図面においては、同一又は同等の要素には同一の符号を付し、重複する説明を省略する。
【００１９】
［構成］
図１には、一実施形態に係る放送受信装置１００及び通信装置３００の配置関係が示されている。図１に示されるように、本実施形態では、放送受信装置１００及び通信装置３００は、移動体である車両ＣＲ内に配置されるようになっている。そして、放送受信装置１００は、通信装置３００と近距離無線通信が可能となっている。
【００２０】
放送受信装置１００は、放送局から送信される地上デジタルテレビジョン放送波を受信して処理する。また、放送受信装置１００は、移動体通信網と無線通信して、サービス事業者の通信コンテンツサーバ等にアクセス可能となっている。そして、放送受信装置１００は、サービス事業者から電気通信回線を介して配信される通信コンテンツを取得して処理する。すなわち、放送受信装置１００は、放送サービス及び通信サービスを組み合せた放送通信連携サービスを実施する装置となっている。ここで、放送受信装置１００は、Ａ階層放送（第２放送、ワンセグ放送）の放送コンテンツ及びＢ階層放送（第１放送、１２セグ放送）の放送コンテンツを再生可能な装置となっている。放送受信装置１００の構成については、後述する。
【００２１】
通信装置３００は、例えば、スマートフォンであり、移動体通信網と無線通信して、サービス事業者の通信コンテンツサーバ等にアクセス可能となっている。そして、通信装置３００は、放送受信装置１００と連携して、サービス事業者から電気通信回線を介して配信される通信コンテンツを取得して処理する。通信装置３００の構成については、後述する。また、通信装置３００と放送受信装置１００との間の連携についても後述する。
【００２２】
なお、通信装置３００としては、タブレット端末、ＰＤＡ（Personal Digital Assistant）、携帯電話、パーソナルコンピュータ等の通信装置であってもよい。
【００２３】
ここで、放送通信連携サービスは、放送局及びサービス事業者から送信されるアプリケーションを実行することにより実現されるようになっている。そして、実行されるアプリケーションには、放送番組に関連する連動アプリケーションと、放送番組に関連しない非連動アプリケーションとに分類される。本実施形態では、放送受信装置１００と通信装置３００とが連携して実行するアプリケーションは、連動アプリケーションとなっている。
【００２４】
なお、本実施形態に係る放送受信装置１００及び通信装置３００の配置関係を概略的に説明するため、図１には、１つの放送局及び１つのサービス事業者を示しているが、放送受信装置１００は、図示しない他の放送局から放送される放送波の受信が可能であるとともに、図示しない他のサービス事業者のコンテンツサーバにもアクセス可能となっている。また、通信装置３００は、図示しない他のサービス事業者のコンテンツサーバにもアクセス可能となっている。
【００２５】
＜放送受信装置１００の構成＞
次に、上記の放送受信装置１００の構成について、説明する。
【００２６】
放送受信装置１００は、図２に示されるように、アンテナ１１０と、ＲＦ処理ユニット１２０と、無線通信ユニット１３０と、インターフェイス１３５と、再生処理ユニット１４０とを備えている。また、放送受信装置１００は、入力ユニット１５０と、音出力ユニット１６０と、表示ユニット１７０と、制御ユニット１９０とを備えている。
【００２７】
上記のアンテナ１１０は、放送局から送信されている地上デジタルテレビジョン放送波を受信する。アンテナ１１０による受信信号ＲＦＳは、ＲＦ処理ユニット１２０へ送られる。
【００２８】
上記のＲＦ処理ユニット１２０は、アンテナ１１０から送られた受信信号ＲＦＳを受ける。そして、ＲＦ処理ユニット１２０は、制御ユニット１９０から送られた選局指令ＣＳＬに従って、選局すべき放送局の信号を受信信号ＲＦＳから抽出する選局処理を行い、所定の中間周波数帯の成分を有する中間周波信号ＩＦＤ（以下、単に「信号ＩＦＤ」という）に変換する。こうして得られた信号ＩＦＤは、再生処理ユニット１４０へ送られる。ここで、信号ＩＦＤは、デジタル信号となっている。なお、ＲＦ処理ユニット１２０は、受信処理部の一部の機能を果たすようになっている。
【００２９】
上記の無線通信ユニット１３０は、不図示のアンテナ等を備えて構成されている。この無線通信ユニット１３０は、当該アンテナから受信した受信信号を処理して、再生処理ユニット１４０及び制御ユニット１９０で処理可能なデジタルデータ信号に変換する。また、無線通信ユニット１３０は、制御ユニット１９０から送られた送信信号を処理して、無線信号に対応する信号に変換し、アンテナへ送る。
【００３０】
この無線通信ユニット１３０を利用し、制御ユニット１９０による制御のもとで、通信コンテンツのロケーション情報等を指定した通信コンテンツの取得要求をサービス事業者の通信コンテンツサーバへ送信することにより、無線通信ユニット１３０は、所望の通信コンテンツＣＣＤを受信することができる。こうして受信された通信コンテンツＣＣＤは、再生処理ユニット１４０へ送られる。
【００３１】
また、この無線通信ユニット１３０を利用し、制御ユニット１９０による制御のもとで、連動アプリケーションのロケーション情報等を指定した連動アプリケーションの取得要求をサービス事業者のサーバへ送信することにより、無線通信ユニット１３０は、所望の連動アプリケーションを受信することができる。こうして受信された連動アプリケーションは、制御ユニット１９０へ送られる。
【００３２】
上記のインターフェイス１３５は、放送受信装置１００と通信装置３００との間におけるデータ授受に際して利用される。例えば、放送受信装置１００が受信した放送番組に関連する通信コンテンツの取得・更新情報、端末連携技術に必要なアプリケーションファイル等は、インターフェイス１３５を介して、通信装置３００へ送られる。また、放送受信装置１００が受信した放送の放送番組情報、放送番組に関連する情報等の端末連携技術に必要な情報は、インターフェイス１３５を介して、通信装置３００へ送られる。
【００３３】
また、制御ユニット１９０が生成した後述する通信コンテンツの「提示制御情報」は、インターフェイス１３５を介して、通信装置３００へ送られる。なお、インターフェイス１３５は、放送受信装置における制御部の一部の機能を果たすようになっている。
【００３４】
上記の再生処理ユニット１４０は、制御ユニット１９０による制御のもとで、ＲＦ処理ユニット１２０から送られる信号ＩＦＤ及び無線通信ユニット１３０から送られる通信コンテンツＣＣＤを処理して、表示ユニット１７０へ供給する映像データＩＤＴを生成する。また、再生処理ユニット１４０は、制御ユニット１９０による制御のもとで、ＲＦ処理ユニット１２０から送られる信号ＩＦＤを処理して、音出力ユニット１６０へ供給する音声データＡＤＴを生成する。再生処理ユニット１４０の構成の詳細については、後述する。
【００３５】
上記の入力ユニット１５０は、放送受信装置１００の本体部に設けられたキー部、及び／又はキー部を備えるリモート入力装置等により構成される。ここで、本体部に設けられたキー部としては、表示ユニット１７０の表示デバイスに設けられたタッチパネルを用いることができる。また、キー部を有する構成に代えて、又は併用して音声認識技術を利用して音声にて入力する構成を採用することもできる。
【００３６】
この入力ユニット１５０を利用者が操作することにより、放送受信装置１００の動作内容の設定や動作指令の入力が行われる。例えば、希望放送局を指定した選局指定、通信コンテンツに基づく映像の表示指定等の利用者による入力が、入力ユニット１５０を利用して行われる。入力ユニット１５０への入力内容は、入力データＩＰＤとして、制御ユニット１９０へ送られる。
【００３７】
上記の音出力ユニット１６０は、（ｉ）再生処理ユニット１４０から送られた音声データＡＤＴをアナログ信号に変換するＤＡ（Digital to Analogue）変換器と、（ii）当該ＤＡ変換器から出力されたアナログ信号を増幅する増幅器と、（iii）増幅されたアナログ信号を音声に変換するスピーカとを備えて構成されている。この音出力ユニット１６０は、選局されているチャンネルの放送波に対応する放送音声を再生出力する。
【００３８】
上記の表示ユニット１７０は、例えば、（ｉ）液晶パネル、有機ＥＬ（Electro Luminescence）パネル、ＰＤＰ（Plasma Display Panel）等の表示デバイスと、（ii）再生処理ユニット１４０から送られた映像データＩＤＴに基づいて、当該表示デバイスに画像を表示させる表示制御回路とを備えている。この表示ユニット１７０は、映像データＩＤＴに基づいて、選局されているチャンネルに対応する放送番組映像、通信コンテンツに基づく映像を再生表示する。また、表示ユニット１７０は、制御ユニット１９０による制御のもとで、「通信コンテンツの提示に関するメッセージ」を表示する。
【００３９】
上記の制御ユニット１９０は、様々な処理を行うとともに、放送受信装置１００の全体の動作を制御する。なお、制御ユニット１９０の構成の詳細については、後述する。
【００４０】
《再生処理ユニット１４０の構成》
次に、再生処理ユニット１４０の構成について説明する。
【００４１】
再生処理ユニット１４０は、図３に示されるように、復調部１４１と、デマルチプレクサ部１４２と、放送コンテンツ処理部１４３とを備えている。また、再生処理ユニット１４０は、通信コンテンツ処理部１４４と、表示映像作成部１４５とを備えている。ここで、復調部１４１、デマルチプレクサ部１４２及び放送コンテンツ処理部１４３は、受信処理部の一部の機能を果たすようになっている。
【００４２】
上記の復調部１４１は、ＲＦ処理ユニット１２０から送られた信号ＩＦＤを受ける。そして、復調部１４１は、信号ＩＦＤに対してＯＦＤＭ（Orthogonal Frequency Division Multiplex）復調を施す。こうして復調された信号は、信号ＤＭＤとして、デマルチプレクサ部１４２へ送られる。
【００４３】
また、復調部１４１は、信号ＩＦＤにおけるＣＮＲ（Carrier to Noise Ratio）を検出する。この検出結果は、検出値ＣＮＲとして、制御ユニット１９０へ送られる。
【００４４】
上記のデマルチプレクサ部１４２は、復調部１４１から送られた信号ＤＭＤを受ける。そして、デマルチプレクサ部１４２は、信号ＤＭＤの復号処理を行い、信号ＤＭＤをＡ階層データパケットＡＰＫ及びＢ階層データパケットＢＰＫに分離する。こうして分離されたＡ階層データパケットＡＰＫ及びＢ階層データパケットＢＰＫは、放送コンテンツ処理部１４３へ送られる。
【００４５】
また、デマルチプレクサ部１４２は、信号ＤＭＤの復号処理に際して、ＰＳＩ（Program Specific Information）情報及びＳＩ（Service Information）情報を取得する。こうして取得されたＰＳＩ情報及びＳＩ情報は、制御ユニット１９０へ送られる。
【００４６】
ここで、ＰＳＩ情報には、ＮＩＴ（Network Information Table）情報等が含まれている。当該ＮＩＴ情報には、選局放送局の中継局の物理チャンネル情報（周波数情報）が含まれている。また、当該ＮＩＴ情報には、ネットワーク識別子が含まれ、当該ネットワーク識別子には、放送事業者識別情報及び地域識別情報を含む識別情報が記載されている。
【００４７】
ＳＩ情報には、ＢＩＴ（Broadcast Information Table）情報、ＥＩＴ（Event Information Table）情報等が含まれている。当該ＢＩＴ情報には、放送局の系列識別（affiliation_ID）が含まれている。また、当該ＥＩＴ情報には、放送番組の番組名、放送日時、番組内容などの番組に関する情報が記載されている。
【００４８】
また、デマルチプレクサ部１４２は、音声、番組映像、データ放送、ＰＳＩ情報、ＳＩ情報以外の復号結果を、信号ＤＢＤとして制御ユニット１９０へ送る。かかる信号ＤＢＤに含まれる情報としては、アプリケーション情報テーブル、連動アプリケーションなどのアプリケーションファイル、放送番組に関連する通信コンテンツの取得・更新情報等がある。このアプリケーション情報テーブルには、アプリケーション名、アプリケーションＩＤ、アプリケーションの起動及び終了などを制御する制御情報、アプリケーションファイルの配信用サーバのロケーション情報及びアプリケーションファイルを特定する情報等が含まれている。なお、連動アプリケーションは、放送局が送信する放送信号から取得する場合もあるし、上述したように、サービス事業者のサーバから電気通信回線を介して取得する場合もある。
【００４９】
上記の放送コンテンツ処理部１４３は、デマルチプレクサ部１４２から送られたＡ階層データパケットＡＰＫ及びＢ階層データパケットＢＰＫを受ける。そして、放送コンテンツ処理部１４３は、制御ユニット１９０から送られる選択指令ＳＬＢに従って、音声データＡＤＴを生成して音出力ユニット１６０へ送るとともに、放送コンテンツ映像データＩＢＴを生成して表示映像作成部１４５へ送る。放送コンテンツ処理部１４３の構成の詳細については、後述する。
【００５０】
上記の通信コンテンツ処理部１４４は、制御ユニット１９０による制御のもとで、無線通信ユニット１３０から送られた通信コンテンツＣＣＤを復号して、通信コンテンツ映像データＩＣＴを生成する。生成された通信コンテンツ映像データＩＣＴは、表示映像作成部１４５へ送られる。
【００５１】
上記の表示映像作成部１４５は、放送コンテンツ処理部１４３から送られる放送コンテンツ映像データＩＢＴを受ける。また、表示映像作成部１４５は、通信コンテンツ処理部１４４から送られる通信コンテンツ映像データＩＣＴを受ける。そして、表示映像作成部１４５は、制御ユニット１９０から送られた映像作成指令ＩＣＣに従って、放送コンテンツ映像データＩＢＴ及び通信コンテンツ映像データＩＣＴに基づく映像データＩＤＴを作成する。引き続き、表示映像作成部１４５は、生成された映像データＩＤＴを表示ユニット１７０へ送る。
【００５２】
また、表示映像作成部１４５は、制御ユニット１９０から、通信コンテンツの提示に関するメッセージを作成すべき映像作成指令ＩＣＣを受けた場合には、放送コンテンツ映像データＩＢＴ及び通信コンテンツ映像データＩＣＴに基づく映像とともに、当該映像作成指令ＩＣＣで指定された内容のメッセージを含む映像データＩＤＴを作成する。そして、表示映像作成部１４５は、当該生成された映像データを表示ユニット１７０へ送る。
【００５３】
（放送コンテンツ処理部１４３の構成）
上述した放送コンテンツ処理部１４３の構成について説明する。
【００５４】
放送コンテンツ処理部１４３は、図４に示されるように、Ａ階層処理部２３１と、Ｂ階層処理部２３３と、選択部２３４とを備えている。
【００５５】
上記のＡ階層処理部２３１は、デマルチプレクサ部１４２から送られるＡ階層データパケットＡＰＫを受ける。そして、Ａ階層処理部２３１は、地上デジタル放送におけるＡ階層放送に採用されているＨ．２６４／ＡＶＣ方式でエンコード化されたＡ階層データパケットＡＰＫのソースデコード処理を行い、Ａ階層放送に対応する音声データ及び映像データであるＡ階層データＡＡＶを生成する。こうして生成されたＡ階層データＡＡＶは、選択部２３４へ送られる。
【００５６】
上記のＢ階層処理部２３３は、デマルチプレクサ部１４２から送られるＢ階層データパケットＢＰＫを受ける。そして、Ｂ階層処理部２３３は、地上デジタル放送におけるＢ階層放送に採用されているＭＰＥＧ２方式でエンコード化されたＢ階層データパケットＢＰＫのソースデコード処理を行い、Ｂ階層放送に対応する音声データ及び映像データであるＢ階層データＢＡＶを生成する。こうして生成されたＢ階層データＢＡＶは、選択部２３４へ送られる。
【００５７】
上記の選択部２３４は、Ａ階層処理部２３１から送られたＡ階層データＡＡＶ及びＢ階層処理部２３３から送られたＢ階層データＢＡＶを受ける。そして、選択部２３４は、制御ユニット１９０から送られた選択指令ＳＬＢに従って、Ａ階層データＡＡＶ及びＢ階層データＢＡＶのいずれかを選択する。選択部２３４において選択された階層データにおける音声データが、音声データＡＤＴとして音出力ユニット１６０へ送られる。また、選択部２３４において選択された階層データにおける映像データが、放送コンテンツ映像データＩＢＴとして表示映像作成部１４５へ送られる。
【００５８】
《制御ユニット１９０の構成》
次いで、制御ユニット１９０の構成について説明する。
【００５９】
制御ユニット１９０は、図５に示されるように、記憶部１９１と、処理管理部１９２と、サーチ実行部１９３と、放送通信連携サービス実行部１９４とを備えている。
【００６０】
上記の記憶部１９１は、不揮発性の記憶素子を備えて構成されている。記憶部１９１には、制御ユニット１９０で利用される様々な情報データが記憶される。この記憶部１９１には、処理管理部１９２及びサーチ実行部１９３がアクセス可能となっている。
【００６１】
ここで、記憶部１９１に記憶される情報データについて、図６，７を参照して説明する。記憶部１９１に記憶される情報データには、図６に示されるように、番組情報ＰＧＩと、放送局情報ＳＴＩとサーチリストＳＨＬとが含まれている。また、記憶部１９１には、中継局受信可リストＲＲＬ及び系列局受信可リストＡＲＬも記憶されるようになっている。
【００６２】
上記の番組情報ＰＧＩには、現在選局中の希望放送局の番組名及び番組内容情報が記憶される。この番組情報ＰＧＩは、処理管理部１９２が生成し、記憶部１９１内に格納する。
【００６３】
上記の放送局情報ＳＴＩには、現在選局中の希望放送局の識別情報及び系列識別が記憶される。この放送局情報ＳＴＩは、サーチ実行部１９３が生成し、記憶部１９１内に格納する。
【００６４】
上記のサーチリストＳＨＬには、図７に示されるように、希望放送局の中継局の物理チャンネルＲＣＨj（ｊ＝１，…，Ｊ）を当該物理チャンネルＲＣＨjに対応する周波数ＲＦＱjとともに登録する中継局リストＲＣＬ、及び、中継局リストＲＣＬに登録されていない全ての物理チャンネルＯＣＨk（ｋ＝１，…，Ｋ）を当該物理チャンネルＯＣＨkに対応する周波数ＯＦＱkとともに登録するリストＯＣＬから成るリストである。このサーチリストＳＨＬは、サーチ実行部１９３が生成し、記憶部１９１内に格納する。なお、「Ｊ＋Ｋ」は、ＵＨＦ（Ultra High Frequency）における１３チャンネルから５２チャンネルまでの４０チャンネルの現時点の地上デジタル放送に対応して、「４０」となっている。
【００６５】
上記の中継局受信可リストＲＲＬ及び系列局受信可リストＡＲＬは、後述する代替局のサーチ処理により、サーチ実行部１９３が生成し、記憶部１９１内に格納する。中継局受信可リストＲＲＬ及び系列局受信可リストＡＲＬの内容については、後述する。
【００６６】
図５に戻り、上記の処理管理部１９２は、放送受信装置１００の全体の動作を制御しつつ、様々な処理を行う。この処理管理部１９２により行われる処理には、利用者による希望放送局の選局指定に対応した選局処理、Ａ階層放送及びＢ階層放送のうちのいずれかを出力対象放送に選択する階層選択処理が含まれる。また、処理管理部１９２により行われる処理には、サーチ実行部１９３の制御処理、通信装置３００へ送信する通信コンテンツの提示制御情報の生成処理等が含まれる。
【００６７】
希望放送局の選局処理に際して、処理管理部１９２は、入力ユニット１５０から送られた選局指定を受けると、当該選局指定により指定された希望放送局に対応する選局指令ＣＳＬを生成する。そして、処理管理部１９２は、生成された選局指令ＣＳＬをＲＦ処理ユニット１２０へ送る。
【００６８】
階層選択処理に際して、処理管理部１９２は、復調部１４１から送られたＣＮＲ（Carrier to Noise Ratio）の検出値ＣＮＲに基づいて、放送波の受信品質を評価する。そして、処理管理部１９２は、放送波の受信品質が第１所定値以上であるか否かの判定を行うことで、Ｂ階層放送に基づくコンテンツ再生が可能であるか否かを判断する。放送波の受信品質が第１所定値以上の場合には、処理管理部１９２は、Ｂ階層放送を出力対象放送に選択する選択指令ＳＬＢを生成して、選択部２３４へ送る。一方、放送波の受信品質が第１所定値未満の場合には、処理管理部１９２は、Ａ階層放送を出力対象放送に選択する選択指令ＳＬＢを生成して、選択部２３４へ送る。
【００６９】
サーチ実行部１９３の制御処理に際して、処理管理部１９２は、通常再生処理中に、放送波の受信品質が第２所定値（＜第１所定値）未満となるか否かの判定を行うことで、現在選局中の放送局（選局放送局）の代替局サーチが必要であるか否かを判断する。そして、処理管理部１９２は、放送波の受信品質が第２所定値未満となった場合に、サーチ指令を生成し、サーチ実行部１９３へ送る。
【００７０】
また、サーチ実行部１９３の制御処理に際して、処理管理部１９２は、サーチ実行部１９３から送られたサーチ用選局要求を受けると、当該サーチ用選局要求に従った選局指令ＣＳＬを生成する。処理管理部１９２は、こうして生成された選局指令ＣＳＬをＲＦ処理ユニット１２０へ送る。
【００７１】
そして、代替局のサーチ処理が終了し、サーチ実行部１９３から送られる代替局チャンネル報告を受けると、処理管理部１９２は、当該代替局チャンネル報告に従って代替局を選局する選局指令ＣＳＬを生成する。そして、処理管理部１９２は、当該選局指令ＣＳＬをＲＦ処理ユニット１２０へ送る。
【００７２】
通信コンテンツの提示制御情報の生成処理に際して、処理管理部１９２は、階層選択処理において、Ｂ階層放送からＡ階層放送に出力対象放送を変更するときには、「通信装置３００での通信コンテンツ情報の提示を一旦中止する」旨の提示制御情報を生成する。
【００７３】
また、通信コンテンツの提示制御情報の生成処理に際して、代替局のサーチ処理が終了すると、処理管理部１９２は、サーチ実行部１９３から送られた系列局サーチフラグＦＬＧA、ワンセグサーチフラグＦＬＧOを受ける。そして、処理管理部１９２は、当該系列局サーチフラグＦＬＧA、ワンセグサーチフラグＦＬＧO、記憶部１９１内の番組情報ＰＧＩ及びＳＩ情報に含まれるＥＩＴ情報に基づいて、代替局がサーチ処理を行う前に選局していた放送局と同一の放送番組に関連する通信コンテンツに関する情報を送信しているか否かを判定する。処理管理部１９２は、当該判定の結果が否定的であった場合に、「通信装置３００での通信コンテンツ情報の提示を一旦中止する」旨、又は、「通信装置３００での通信コンテンツ情報の提示を完全に中止する」旨の提示制御情報を生成する。
【００７４】
また、通信装置３００での通信コンテンツ情報の提示を一旦中止している場合に、処理管理部１９２は、階層選択処理でＢ階層放送を出力対象放送に選択するときには、「通信装置３００での通信コンテンツ情報の提示を再開する」旨の提示制御情報を生成する。こうして生成された提示制御情報は、放送通信連携サービス実行部１９４へ送られる。
【００７５】
本実施形態では、上述した「一旦中止」との用語は、放送波の受信品質の回復により、通信コンテンツ情報の提示の「再開」の可能性がある場合に使用する。また、「完全中止」との用語は、放送波の受信品質が回復したとしても、通信コンテンツ情報の提示の「再開」が行われない場合に使用する。
【００７６】
処理管理部１９２が実行する通信コンテンツの提示制御情報の生成処理の詳細については、後述する。なお、処理管理部１９２は、放送受信装置における制御部の一部の機能を果たすようになっている。
【００７７】
上記のサーチ実行部１９３は、デマルチプレクサ部１４２から送られたＰＳＩ情報に含まれるＮＩＴ情報に基づいて、まず、中継局リストＲＣＬを生成する。引き続き、サーチ実行部１９３は、当該中継局リストＲＣＬの末尾に、リストＯＣＬを追加した「サーチリストＳＨＬ」を作成し、記憶部１９１内に格納する（図７参照）。
【００７８】
また、サーチ実行部１９３は、サーチ処理に際して、中継局受信可リストＲＲＬ、系列局受信可リストＡＲＬを生成する。
【００７９】
サーチ実行部１９３は、処理管理部１９２から送られたサーチ指令を受けると、代替局のサーチ処理を行う。かかるサーチ処理に際して、サーチ実行部１９３は、サーチリストＳＨＬを参照して、サーチリストＳＨＬに登録された周波数を先頭（一行目）から読み取り、周波数を指定したサーチ用選局要求を、処理管理部１９２へ向けて発行しつつ、復調部１４１から送られる検出値ＣＮＲに基づいて、受信状態を収集する。
【００８０】
サーチ実行部１９３は、当該受信状態の収集と並行して、デマルチプレクサ部１４２から送られたＰＳＩ情報に含まれるＮＩＴ情報の識別情報に基づいて、サーチ用選局要求により選局された放送局（以下、「サーチ放送局」とも記す）が、サーチ処理を行う前に選局していた放送局（以下、「サーチ前放送局」とも記す）の中継局であるかの判定を行う。また、サーチ実行部１９３は、「サーチ放送局」が「サーチ前放送局」の中継局ではないと判定した場合には、ＳＩ情報に含まれるＢＩＴ情報の系列識別（affiliation_ID）に基づいて、「サーチ放送局」が「サーチ前放送局」の系列局であるかの判定を行う。
【００８１】
サーチ実行部１９３は、収集した受信状態、上述した判定の結果に基づいて、サーチ前放送局の代替局を決定する。かかる決定結果は、代替局チャンネル報告として、処理管理部１９２へ報告される。
【００８２】
また、サーチ実行部１９３は、決定された代替局が「サーチ前放送局」の中継局である場合には、「ＯＦＦ」に設定した系列局サーチフラグＦＬＧAを処理管理部１９２へ送る。一方、決定された代替局が「サーチ前放送局」の系列局である場合には、サーチ実行部１９３は、系列局サーチフラグＦＬＧAを「ＯＮ」に設定して、処理管理部１９２へ送る。
【００８３】
また、サーチ実行部１９３は、決定された代替局の放送波の受信品質が、第１所定値以上である場合には、「ＯＦＦ」に設定したワンセグサーチフラグＦＬＧOを処理管理部１９２へ送る。また、代替局の放送波の受信品質が、第１所定値未満である場合には、ワンセグサーチフラグＦＬＧOを「ＯＮ」に設定して、処理管理部１９２へ送る。
【００８４】
サーチ実行部１９３が実行する処理の詳細については、後述する。なお、サーチ実行部１９３は、探索部の機能を果たすようになっている。
【００８５】
上記の放送通信連携サービス実行部１９４は、不図示の放送受信装置ＡＰＩ（アプリケーションプログラムインタフェース：Application Program Interface）部と、端末連携ＡＰＩ部とを備えて構成される。放送通信連携サービス実行部１９４は、入力ユニット１５０から送られた放送通信連携サービスの実行指定、デマルチプレクサ部１４２から送られた信号ＤＢＤに含まれるアプリケーション情報テーブル、連動アプリケーションなどのアプリケーションファイル、放送番組に関連する通信コンテンツの取得・更新情報等を受けて、放送通信連携サービスを実行する。ここで、放送受信装置ＡＰＩ部は、放送受信装置ＡＰＩを実行し、放送受信装置１００内において放送通信連携サービスを利用可能にする。また、端末連携ＡＰＩ部は、端末連携ＡＰＩを実行し、通信装置３００との間の端末連携技術を利用可能にする。
【００８６】
放送通信連携サービス実行部１９４は、信号ＤＢＤに通信コンテンツの取得・更新情報が含まれている場合には、当該情報を参照して、通信コンテンツサーバから通信コンテンツデータを受信すべき旨の指令を無線通信ユニット１３０へ送る。引き続き、放送通信連携サービス実行部１９４は、当該受信する通信コンテンツデータの処理を行うべき旨の処理指令ＣＥＣを生成して、通信コンテンツ処理部１４４へ送る。また、放送通信連携サービス実行部１９４は、実行しているアプリケーションに従って、番組映像と通信コンテンツに基づく映像とを同時に表示すべき旨の映像作成指令ＩＣＣを生成して、表示映像作成部１４５へ送る。
【００８７】
放送通信連携サービス実行部１９４は、信号ＤＢＤにアプリケーション情報テーブルが含まれている場合には、当該テーブルを参照して、サーバから連動アプリケーションを受信すべき旨の指令を無線通信ユニット１３０へ送る。そして、放送通信連携サービス実行部１９４は、無線通信ユニット１３０が受信した連動アプリケーションを受け取る。
【００８８】
ここで、放送通信連携サービス実行部１９４は、信号ＤＢＤに放送番組に関連する通信コンテンツの取得・更新情報が含まれている場合には、当該情報を、インターフェイス１３５を介して、通信装置３００へ送信する。また、放送通信連携サービス実行部１９４は、信号ＤＢＤに、アプリケーション情報テーブルや通信装置用の連動アプリケーション等の端末連携技術に必要なアプリケーションファイルが含まれている場合には、当該アプリケーションファイルを、インターフェイス１３５を介して、通信装置３００へ送信する。さらに、放送通信連携サービス実行部１９４は、放送番組情報、放送番組に関連する情報等を、インターフェイス１３５を介して、通信装置３００へ送信する。
【００８９】
また、放送通信連携サービス実行部１９４は、処理管理部１９２から送られた通信コンテンツの提示制御情報を受ける。そして、放送通信連携サービス実行部１９４は、当該提示制御情報で指定された内容のメッセージを含む映像データＩＤＴを生成すべき映像作成指令ＩＣＣを生成し、表示映像作成部１４５へ送る。引き続き、放送通信連携サービス実行部１９４は、当該提示制御情報を、インターフェイス１３５を介して、通信装置３００へ送信する。
【００９０】
なお、放送通信連携サービス実行部１９４は、放送受信装置における制御部の一部の機能を果たすようになっている。
【００９１】
＜通信装置３００の構成＞
次に、上記の通信装置３００の構成について、説明する。
【００９２】
通信装置３００は、図８に示されるように、記憶部３１０と、無線通信部３３０と、インターフェイス３３５とを備えている。また、通信装置３００は、入力部３５０と、表示部３７０と、処理制御部３９０とを備えている。
【００９３】
上記の記憶部３１０は、不揮発性のメモリ等から構成されている。記憶部３１０は、放送受信装置１００から送られたアプリケーションファイル等の様々なデータを記憶する。この記憶部３１０には、処理制御部３９０がアクセスできるようになっている。
【００９４】
上記の無線通信部３３０は、不図示のアンテナ等を備えて構成されている。この無線通信部３３０は、当該アンテナから受信した受信信号を処理して、処理制御部３９０で処理可能なデジタルデータ信号に変換する。また、無線通信部３３０は、処理制御部３９０から送られた送信信号を処理して、無線信号に対応する信号に変換し、アンテナへ送る。
【００９５】
この無線通信部３３０を利用し、処理制御部３９０による制御のもとで、通信コンテンツの取得・更新情報に含まれる通信コンテンツのロケーション情報等を指定した通信コンテンツの取得要求をサービス事業者の通信コンテンツサーバへ送信することにより、無線通信部３３０は、所望の通信コンテンツを受信することができる。こうして受信された通信コンテンツは、処理制御部３９０へ送られる。
【００９６】
また、この無線通信部３３０を利用し、処理制御部３９０による制御のもとで、アプリケーションファイルに含まれる連動アプリケーションのロケーション情報等を指定した連動アプリケーションの取得要求をサービス事業者のサーバへ送信することにより、無線通信部３３０は、所望の連動アプリケーションを受信することができる。こうして受信された連動アプリケーションは、処理制御部３９０へ送られる。
【００９７】
なお、無線通信部３３０は、第２取得部の一部の機能を果たすようになっている。
【００９８】
上記のインターフェイス３３５は、通信装置３００と放送受信装置１００との間におけるデータ授受に際して利用される。例えば、上述したように、放送受信装置１００が受信した放送番組に関連する通信コンテンツの取得・更新情報、端末連携技術に必要なアプリケーションファイル等は、インターフェイス３３５を介して、通信装置３００へ送られる。また、放送受信装置１００が受信した番組放送の放送番組情報、放送番組に関連する情報等の端末連携技術に必要な情報は、インターフェイス３３５を介して、通信装置３００へ送られる。
【００９９】
また、放送受信装置１００が生成した通信コンテンツの提示制御情報は、インターフェイス３３５を介して、通信装置３００へ送られる。なお、インターフェイス３３５は、第１取得部の一部の機能を果たすようになっている。
【０１００】
上記の入力部３５０は、キー部等を備えて構成されている。ここで、キー部としては、表示部３７０の液晶装置に設けられたタッチパネルを用いることができる。また、キー部を有する構成に代えて、又は併用して音声認識技術を利用して音声にて入力する構成を採用することもできる。この入力部３５０を利用者が操作することにより、通信コンテンツに基づく映像の表示指定等の入力を行うことができる。
【０１０１】
上記の表示部３７０は、表示デバイス等を備えて構成される。そして、表示部３７０は、処理制御部３９０から送られた通信コンテンツ映像データを受けると、当該通信コンテンツ映像データに基づいて、通信コンテンツに基づく映像を再生表示する。また、表示部３７０は、処理制御部３９０から送られた提示制御映像データを受けると、当該提示制御映像データに基づく「通信コンテンツの提示に関するメッセージ」を表示する。
【０１０２】
上記の処理制御部３９０は、放送通信連携サービスを実行する。すなわち、処理制御部３９０は、インターフェイス３３５を介して、放送受信装置１００から送られる放送番組に関連する通信コンテンツの取得・更新情報、通信装置用の連動アプリケーション等の端末連携技術に必要なアプリケーションファイル、放送番組情報、放送番組に関連する情報等を受信し、放送受信装置１００との間の端末連携技術を実現する。
【０１０３】
処理制御部３９０は、インターフェイス３３５を介して、放送受信装置１００から送られた通信コンテンツの取得・更新情報を受けると、当該情報に基づいて、通信コンテンツサーバから通信コンテンツデータを受信すべき旨の指令を無線通信部３３０へ送る。引き続き、無線通信部３３０から送られた通信コンテンツデータを受けると、処理制御部３９０は、当該通信コンテンツデータを復号して、通信コンテンツ映像データを生成する。生成された通信コンテンツ映像データは、表示部３７０へ送られる。
【０１０４】
また、処理制御部３９０は、インターフェイス３３５を介して、放送受信装置１００から送られるアプリケーション情報テーブルを受けると、当該テーブルに基づいて、サーバから連動アプリケーションを受信すべき旨の指令を無線通信部３３０へ送る。そして、処理制御部３９０は、無線通信部３３０が受信した連動アプリケーションを受け取る。
【０１０５】
また、処理制御部３９０は、インターフェイス３３５を介して、放送受信装置１００から送られる通信コンテンツの提示制御情報を受ける。そして、処理制御部３９０は、当該提示制御情報で指定された内容のメッセージを含む映像データを生成して、表示部３７０へ送る。引き続き、処理制御部３９０は、当該提示制御情報で指定された内容の処理を実行する。例えば、提示制御情報の内容が「通信装置３００での通信コンテンツ情報の提示を完全中止する」ものである場合には、処理制御部３９０は、当該内容のメッセージを含む映像データを生成して表示部３７０へ送る。
【０１０６】
なお、処理制御部３９０は、第１取得部の一部、第２取得部の一部、及び、通信装置における制御部の機能を果たすようになっている。
【０１０７】
［動作］
以上のようにして構成された放送受信装置１００及び通信装置３００の動作について、放送受信装置１００の処理管理部１９２による通信コンテンツの提示制御情報の生成処理を含む制御処理、及び、サーチ実行部１９３による代替局のサーチ処理に主に着目して説明する。
【０１０８】
＜処理管理部１９２による制御処理＞
まず、放送受信装置１００の処理管理部１９２による通信コンテンツの提示制御情報の生成処理を含む制御処理について説明する。
【０１０９】
前提として、利用者による希望放送局を指定した選局指定が、放送受信装置１００に対して行われているものとする。また、通信装置３００では、利用者が、当該希望放送局に対応した端末連携技術を利用するためのアプリケーションを起動しているものとする。
【０１１０】
また、当初においては、選局指定した希望放送局の放送波の受信品質は、第１所定値以上になっているものとする。このため、放送受信装置１００と通信装置３００との間においては、放送通信連携システムの端末連携技術が有効に機能する状態になっている。
【０１１１】
放送受信装置１００では、選局指定が行われると、ＲＦ処理ユニット１２０が、希望放送局の信号を受信信号ＲＦＳから抽出する選局処理を行い、所定の中間周波数帯の成分を有する信号ＩＦＤに変換する。そして、ＲＦ処理ユニット１２０は、当該信号ＩＦＤを、再生処理ユニット１４０へ送る（図２参照）。
【０１１２】
再生処理ユニット１４０では、復調部１４１が、ＲＦ処理ユニット１２０から送られた信号ＩＦＤの復調処理を行い、信号ＤＭＤを生成する。そして、復調部１４１は、生成された信号ＤＭＤをデマルチプレクサ部１４２へ送る（図３参照）。また、復調部１４１は、信号ＩＦＤにおけるＣＮＲを検出し、検出値ＣＮＲを制御ユニット１９０へ逐次送る（図３参照）。次いで、デマルチプレクサ部１４２が、復調部１４１から送られた信号ＤＭＤの復号処理を行い、Ａ階層データパケットＡＰＫ、Ｂ階層データパケットＢＰＫを分離する。そして、デマルチプレクサ部１４２は、Ａ階層データパケットＡＰＫ及びＢ階層データパケットＢＰＫを放送コンテンツ処理部１４３へ送る（図３参照）。また、デマルチプレクサ部１４２は、信号ＤＭＤの復号処理に際して、ＰＳＩ情報、ＳＩ情報を取得し、制御ユニット１９０へ送る（図３参照）。さらに、デマルチプレクサ部１４２は、信号ＤＭＤの復号処理で分離された信号ＤＢＤを、制御ユニット１９０の放送通信連携サービス実行部１９４へ送る（図３，５参照）。
【０１１３】
検出値ＣＮＲを受けた制御ユニット１９０では、処理管理部１９２が、選局指定された希望放送局の放送波の受信品質が第１所定値以上であると評価する。そして、処理管理部１９２は、Ｂ階層放送（１２セグ放送）を出力対象放送に選択する選択指令ＳＬＢを生成し、選択部２３４へ送る。
【０１１４】
また、ＰＳＩ情報、ＳＩ情報を受けた制御ユニット１９０では、処理管理部１９２が、ＳＩ情報に含まれるＥＩＴ情報から、希望放送局が放送している放送番組の番組名及び番組内容情報を取得する。そして、処理管理部１９２は、当該番組名、番組内容情報を、番組情報ＰＧＩとして記憶部１９１に格納する。なお、この番組情報ＰＧＩは、選局切替等により放送局の番組名、番組内容情報が変化した場合には、更新されるようになっている。
【０１１５】
また、サーチ実行部１９３は、ＰＳＩ情報に含まれるＮＩＴ情報から希望放送局の識別情報を取得し、ＳＩ情報に含まれるＢＩＴ情報から希望放送局の系列識別を取得する。そして、サーチ実行部１９３は、当該識別情報、系列識別を、放送局情報ＳＴＩとして記憶部１９１に格納する。なお、この放送局情報ＳＴＩは、選局切替等により放送局の識別情報、系列識別が変化した場合には、更新されるようになっている。
【０１１６】
また、放送通信連携サービス実行部１９４は、信号ＤＢＤに含まれるアプリケーション情報テーブル、連動アプリケーションなどのアプリケーションファイル、通信コンテンツの取得・更新情報等を受けて、放送通信連携サービスを実行する。かかる放送通信連携サービスの実行に際して、放送通信連携サービス実行部１９４は、信号ＤＢＤに放送番組に関連する通信コンテンツの取得・更新情報が含まれている場合には、当該情報を、インターフェイス１３５を介して、通信装置３００へ送信する。また、放送通信連携サービス実行部１９４は、信号ＤＢＤに、端末連携技術に必要なアプリケーションファイルが含まれている場合には、当該アプリケーションファイルを、インターフェイス１３５を介して、通信装置３００へ送信する。さらに、放送通信連携サービス実行部１９４は、放送番組情報、放送番組に関連する情報等を、インターフェイス１３５を介して、通信装置３００へ送信する。
【０１１７】
一方、通信装置３００では、放送受信装置１００から送信された放送番組に関連する通信コンテンツの取得・更新情報、端末連携技術に必要なアプリケーションファイル、放送番組情報、放送番組に関連する情報等を受信し、放送受信装置１００との間の端末連携技術を実現する。
【０１１８】
このような状況のもとで、図９に示されるように、まず、ステップＳ１１において、処理管理部１９２が、放送波の受信品質が第１所定値以上であるか否かを判定する。この判定の結果が肯定的であった場合（ステップＳ１１：Ｙ）には、処理はステップＳ１２へ進む。
【０１１９】
ステップＳ１２では、処理管理部１９２が、Ｂ階層放送を出力対象放送に選択しているか否かを判定する。この判定の結果が肯定的であった場合（ステップＳ１２：Ｙ）には、処理はステップＳ１１へ戻る。ステップＳ１２における判定の結果が否定的であった場合（ステップＳ１２：Ｎ）には、処理はステップＳ１３へ進む。このステップＳ１３では、処理管理部１９２が、Ｂ階層放送を出力対象放送に選択する選択指令ＳＬＢを生成する。そして、処理管理部１９２は、生成された選択指令ＳＬＢを選択部２３４へ送る。
【０１２０】
引き続き、ステップＳ１４において、処理管理部１９２が、後述するステップＳ１８等の処理により、通信装置３００での通信コンテンツ情報の提示が一旦中止中であるか否かを判定する。この判定の結果が否定的であった場合（ステップＳ１４：Ｎ）には、処理はステップＳ１１へ戻る。ステップＳ１４における判定の結果が肯定的であった場合（ステップＳ１４：Ｙ）には、処理はステップＳ１５へ進む。
【０１２１】
ステップＳ１５では、処理管理部１９２が、「通信装置３００での通信コンテンツ情報の提示を再開する」ことを内容とする第１種提示制御情報を生成する。引き続き、処理管理部１９２は、当該第１種提示制御情報を、放送通信連携サービス実行部１９４へ送る。
【０１２２】
こうして第１種提示制御情報が送られると、放送通信連携サービス実行部１９４は、まず、当該情報の内容を反映したメッセージを含む映像データＩＤＴを生成すべき映像作成指令ＩＣＣを表示映像作成部１４５へ送る。そして、表示映像作成部１４５が、当該情報の内容を反映したメッセージを含む映像データＩＤＴを生成して、表示ユニット１７０へ送る。この結果、放送受信装置１００の表示ユニット１７０の所定領域に、「通信装置３００での通信コンテンツ情報の提示を再開する」とのメッセージが表示される。
【０１２３】
引き続き、放送通信連携サービス実行部１９４は、第１種提示制御情報を、インターフェイス１３５を介して、通信装置３００へ送信する。通信装置３００では、処理制御部３９０が、まず、第１種提示制御情報の内容を反映したメッセージを含む映像データを生成して表示部３７０へ送る。この結果、通信装置３００の表示部３７０における所定領域に、「通信コンテンツ情報の提示を再開する」とのメッセージが表示される。引き続き、処理制御部３９０は、通信コンテンツ映像データの生成を再開する。この結果、端末連携技術が機能している通信装置３００において、通信コンテンツに基づく映像表示が行われる。この後、処理はステップＳ１１へ戻る。
【０１２４】
ステップＳ１１における判定の結果が否定的であった場合（ステップＳ１１：Ｎ）には、処理はステップＳ１６へ進む。このステップＳ１６では、処理管理部１９２が、Ａ階層放送を出力対象放送に選択しているか否かを判定する。この判定の結果が肯定的であった場合（ステップＳ１６：Ｙ）には、処理は、後述するステップＳ１９へ進む。
【０１２５】
ステップＳ１６における判定の結果が否定的であった場合（ステップＳ１６：Ｎ）には、処理はステップＳ１７へ進む。このステップＳ１７では、処理管理部１９２が、Ａ階層放送を出力対象放送に選択する選択指令ＳＬＢを生成する。そして、処理管理部１９２は、生成された選択指令ＳＬＢを選択部２３４へ送る。
【０１２６】
こうして出力対象放送がＢ階層放送からＡ階層放送に切り替えられると、処理管理部１９２は、切替前と同一の放送番組に関連する通信コンテンツに関する情報を送信していないと判定する。そして、ステップＳ１８において、処理管理部１９２が、「通信装置３００での通信コンテンツ情報の提示を一旦中止する」ことを内容とする第２種提示制御情報を生成する。引き続き、処理管理部１９２は、当該第２種提示制御情報を、放送通信連携サービス実行部１９４へ送る。
【０１２７】
こうして第２種提示制御情報が送られると、放送通信連携サービス実行部１９４は、まず、当該情報の内容を反映したメッセージを含む映像データＩＤＴを生成すべき映像作成指令ＩＣＣを表示映像作成部１４５へ送る。そして、表示映像作成部１４５が、当該情報の内容を反映したメッセージを含む映像データＩＤＴを生成して、表示ユニット１７０へ送る。この結果、表示ユニット１７０の所定領域に、「通信装置３００での通信コンテンツ情報の提示を一旦中止する」とのメッセージが表示される。
【０１２８】
引き続き、放送通信連携サービス実行部１９４は、第２種提示制御情報を、インターフェイス１３５を介して、通信装置３００へ送信する。通信装置３００では、処理制御部３９０が、まず、第２種提示制御情報の内容を反映したメッセージを含む映像データを生成して、表示部３７０へ送る。この結果、通信装置３００の表示部３７０における所定領域に、「通信コンテンツ情報の提示を一旦中止する」とのメッセージが表示される。引き続き、処理制御部３９０は、通信コンテンツ映像データの生成を一旦中止する。この結果、端末連携技術が機能していない通信装置３００においては、通信コンテンツに基づく映像表示が行われなくなる。
【０１２９】
引き続き、ステップＳ１９において、処理管理部１９２が、放送波の受信品質が第２所定値未満であるか否かを判定する。この判定の結果が否定的であった場合（ステップＳ１９：Ｎ）には、処理はステップＳ１１へ戻る。ステップＳ１９における判定の結果が肯定的であった場合（ステップＳ１９：Ｙ）には、処理はステップＳ２０へ進む。このステップＳ２０では、処理管理部１９２が、サーチ指令を生成し、サーチ実行部１９３へ送る。
【０１３０】
引き続き、ステップＳ２１において、処理管理部１９２が、サーチ実行部１９３から送られる代替局チャンネル報告、系列局サーチフラグＦＬＧA及びワンセグサーチフラグＦＬＧOを受けたか否かを判断することにより、サーチ実行部１９３による代替局のサーチ処理が終了したか否かを判定する。この判定の結果が否定的であった場合（ステップＳ２１：Ｎ）には、ステップＳ２１の処理が繰り返される。
【０１３１】
ここで、ステップＳ２１の処理の繰り返し中においては、処理管理部１９２は、サーチ実行部１９３から送られたサーチ用選局要求を受ける。そして、処理管理部１９２は、当該サーチ用選局要求に従った選局指令ＣＳＬを生成し、ＲＦ処理ユニット１２０へ送る処理を実行する。サーチ実行部１９３による「代替局のサーチ処理」の詳細については、後述する。
【０１３２】
サーチ実行部１９３による代替局のサーチ処理が終了し、ステップＳ２１における判定の結果が肯定的になると（ステップＳ２１：Ｙ）、処理はステップＳ２２へ進む。このステップＳ２２では、処理管理部１９２は、代替局チャンネル報告に従って選局指令ＣＳＬを生成する。そして、処理管理部１９２は、当該選局指令ＣＳＬをＲＦ処理ユニット１２０へ送る。この後、処理はステップＳ２３へ進む。
【０１３３】
ステップＳ２３では、処理管理部１９２が、「提示制御情報の生成処理」を行う。かかるステップＳ２３の処理の詳細については、後述する。そして、ステップＳ２３の処理が終了すると、処理はステップＳ１１へ戻る。以後、ステップＳ１１〜Ｓ２３の処理が繰り返される。
【０１３４】
《ステップＳ２３における提示制御情報の生成処理》
次に、上述したステップＳ２３における「提示制御情報の生成処理」について説明する。
【０１３５】
この「提示制御情報の生成処理」は、図１０に示されるように、まず、ステップＳ３１において、処理管理部１９２が、デマルチプレクサ部１４２から送られたＳＩ情報に含まれるＥＩＴ情報から、代替局（以下、「サーチ後放送局」とも記す）が放送している放送番組の番組名及び番組内容情報を、サーチ後番組名及びサーチ後番組内容情報として取得する。また、処理管理部１９２は、記憶部１９１に記憶した番組情報ＰＧＩの番組名及び番組内容情報を、サーチ前番組名及びサーチ前番組内容として読み取る。
【０１３６】
引き続き、ステップＳ３２において、処理管理部１９２が、系列局サーチフラグＦＬＧAが「ＯＮ」となっているか否かを判定する。この判定の結果が否定的であった場合（ステップＳ３２：Ｎ）、すなわち、「サーチ後放送局」（選局切替先の代替局）が「サーチ前放送局」（選局切替前の放送局）の中継局であった場合には、処理管理部１９２は、「サーチ後放送局」のＢ階層放送が「サーチ前放送局」と同一の放送番組に関連する通信コンテンツに関する情報を送信していると判定する。そして、処理はステップＳ３３へ進む。
【０１３７】
ステップＳ３３では、処理管理部１９２が、ワンセグサーチフラグＦＬＧOが「ＯＮ」となっているか否かを判定する。この判定の結果が否定的であった場合（ステップＳ３３：Ｎ）、すなわち、「サーチ後放送局」が「サーチ前放送局」の中継局であり、かつ、「サーチ後放送局」の放送波の受信品質が第１所定値以上である場合には、処理はステップＳ３４へ進む。
【０１３８】
ステップＳ３４では、処理管理部１９２が、「通信装置３００での通信コンテンツ情報の提示を再開する」ことを内容とする第１種提示制御情報を生成する。引き続き、処理管理部１９２は、当該第１種提示制御情報を、放送通信連携サービス実行部１９４へ送る。この後、処理は、後述するステップＳ３７へ進む。
【０１３９】
こうして第１種提示制御情報が送られると、上述したように、表示ユニット１７０の所定領域に、「通信装置３００での通信コンテンツ情報の提示を再開する」とのメッセージが表示される。また、通信装置３００の表示部３７０における所定領域に、「通信コンテンツ情報の提示を再開する」とのメッセージが表示される。そして、通信装置３００の処理制御部３９０が、通信コンテンツ映像データの生成を再開する。この結果、端末連携技術が機能している通信装置３００において、通信コンテンツに基づく映像表示が行われる。
【０１４０】
ステップＳ３３における判定の結果が肯定的であった場合（ステップＳ３３：Ｙ）、すなわち、「サーチ後放送局」が「サーチ前放送局」の中継局であり、かつ、「サーチ後放送局」の放送波の受信品質が第１所定値未満である場合には、処理はステップＳ３５へ進む。このステップＳ３５では、処理管理部１９２が、「引き続き、通信装置３００での通信コンテンツ情報の提示を中止する」ことを内容とする第３種提示制御情報を生成し、放送通信連携サービス実行部１９４へ送る。
【０１４１】
こうして第３種提示制御情報が送られると、放送通信連携サービス実行部１９４は、当該情報の内容を反映したメッセージを含む映像データＩＤＴを生成すべき映像作成指令ＩＣＣを表示映像作成部１４５へ送る。そして、表示映像作成部１４５が、当該情報の内容を反映したメッセージを含む映像データＩＤＴを生成して、表示ユニット１７０へ送る。この結果、表示ユニット１７０の所定領域に、「通信装置３００での通信コンテンツ情報の提示を中止する」とのメッセージが表示される。
【０１４２】
引き続き、放送通信連携サービス実行部１９４は、第３種提示制御情報を、インターフェイス１３５を介して、通信装置３００へ送信する。通信装置３００では、処理制御部３９０が、まず、第３種提示制御情報の内容を反映したメッセージを含む映像データを生成して、表示部３７０へ送る。この結果、通信装置３００の表示部３７０における所定領域に、「通信コンテンツ情報の提示を中止する」とのメッセージが表示される。この後、処理はステップＳ３７へ進む。なお、このステップＳ３５の処理は、省略するようにしてもよい。
【０１４３】
上述したステップＳ３２における判定の結果が肯定的であった場合（ステップＳ３２：Ｙ）、すなわち、「サーチ後放送局」が「サーチ前放送局」の系列局であった場合には、には、処理はステップＳ３６へ進む。このステップＳ３６では、処理管理部１９２が、「系列局対応処理」を行う。かかるステップＳ３６の処理の詳細については、後述する。そして、ステップＳ３６の処理が終了すると、処理はステップＳ３７へ進む。
【０１４４】
ステップＳ３７では、処理管理部１９２が、記憶部１９１に記憶した番組情報ＰＧＩの内容を、ＥＩＴ情報から取得したサーチ後番組名及びサーチ後番組内容情報に更新する。また、処理管理部１９２は、系列局サーチフラグＦＬＧA及びワンセグサーチフラグＦＬＧOを「ＯＦＦ」に設定する。ステップＳ３７の処理が終了すると、ステップＳ２３の処理が終了する。そして、処理は上述した図９のステップＳ１１へ戻る。
【０１４５】
（ステップＳ３６における系列局対応処理）
次いで、ステップＳ３６における「系列局対応処理」について説明する。
【０１４６】
この「系列局対応処理」は、図１１に示されるように、まず、ステップＳ４１において、処理管理部１９２が、「サーチ前番組名」及び「サーチ後番組名」が同一であるか否かを判定する。この判定の結果が肯定的であった場合（ステップＳ４１：Ｙ）には、処理管理部１９２は、「サーチ後放送局」のＢ階層放送が「サーチ前放送局」と同一の放送番組に関連する通信コンテンツに関する情報を送信していると判定する。そして、処理は、後述するステップＳ４３へ進む。ステップＳ４１における判定の結果が否定的であった場合（ステップＳ４１：Ｎ）には、処理はステップＳ４２へ進む。
【０１４７】
ステップＳ４２では、処理管理部１９２が、「サーチ前番組内容」及び「サーチ後番組内容」が同一であるか否かを判定する。この判定の結果が肯定的であった場合（ステップＳ４２：Ｙ）には、処理管理部１９２は、「サーチ後放送局」のＢ階層放送が「サーチ前放送局」と同一の放送番組に関連する通信コンテンツに関する情報を送信していると判定する。そして、処理はステップＳ４３へ進む。このステップＳ４３では、処理管理部１９２が、ワンセグサーチフラグＦＬＧOが「ＯＮ」となっているか否かを判定する。この判定の結果が否定的であった場合（ステップＳ４３：Ｎ）、すなわち、「サーチ後放送局」の放送波の受信品質が第１所定値以上である場合には、処理はステップＳ４４へ進む。
【０１４８】
ステップＳ４４では、処理管理部１９２が、「通信装置３００での通信コンテンツ情報の提示を再開する」ことを内容とする第１種提示制御情報を生成する。引き続き、処理管理部１９２は、当該第１種提示制御情報を、放送通信連携サービス実行部１９４へ送る。
【０１４９】
こうして第１種提示制御情報が送られると、上述したように、表示ユニット１７０の所定領域に、「通信装置３００での通信コンテンツ情報の提示を再開する」とのメッセージが表示される。また、通信装置３００の表示部３７０における所定領域に、「通信コンテンツ情報の提示を再開する」とのメッセージが表示される。そして、通信装置３００の処理制御部３９０が、通信コンテンツ映像データの生成を再開する。この結果、端末連携技術が機能している通信装置３００において、通信コンテンツに基づく映像表示が行われる。ステップＳ４４の処理が終了すると、ステップＳ３６の処理が終了する。そして、処理は上述した図１０のステップＳ３７へ進む。
【０１５０】
ステップＳ４３における判定の結果が肯定的であった場合（ステップＳ４３：Ｙ）、すなわち、「サーチ後放送局」の放送波の受信品質が第１所定値未満である場合には、処理はステップＳ４５へ進む。このステップＳ４５では、処理管理部１９２が、上述した第３種提示制御情報を生成し、放送通信連携サービス実行部１９４へ送る。ステップＳ４５の処理が終了すると、ステップＳ３６の処理が終了する。そして、処理は上述した図１０のステップＳ３７へ進む。なお、このステップＳ４５の処理は、省略するようにしてもよい。
【０１５１】
一方、ステップＳ４２における判定の結果が否定的であった場合（ステップＳ４２：Ｎ）には、処理管理部１９２は、「サーチ後放送局」のＢ階層放送が「サーチ前放送局」と同一の放送番組に関連する通信コンテンツに関する情報を送信していないと判定する。そして、処理はステップＳ４６へ進む。このステップＳ４６では、処理管理部１９２が、「通信装置３００での通信コンテンツ情報の提示を完全中止する」ことを内容とする第４種提示制御情報を生成する。引き続き、処理管理部１９２は、当該第４種提示制御情報を、放送通信連携サービス実行部１９４へ送る。
【０１５２】
こうして第４種提示制御情報が送られると、放送通信連携サービス実行部１９４は、まず、当該情報の内容を反映したメッセージを含む映像データＩＤＴを生成すべき映像作成指令ＩＣＣを表示映像作成部１４５へ送る。そして、表示映像作成部１４５が、当該情報の内容を反映したメッセージを含んだ映像データＩＤＴを生成して、表示ユニット１７０へ送る。この結果、表示ユニット１７０の所定領域に、「通信装置３００での通信コンテンツ情報の提示を完全中止する」とのメッセージが表示される。
【０１５３】
引き続き、放送通信連携サービス実行部１９４は、第４種提示制御情報を、インターフェイス１３５を介して、通信装置３００へ送信する。通信装置３００では、処理制御部３９０が、第４種提示制御情報の内容を反映したメッセージを含む映像データを生成して、表示部３７０へ送る。この結果、通信装置３００の表示部３７０における所定領域に、「通信コンテンツ情報の提示を完全中止する」とのメッセージが表示される。この結果、端末連携技術が機能していない通信装置３００においては、通信コンテンツに基づく映像表示が行われない。
【０１５４】
ステップＳ４６の処理が終了すると、ステップＳ３６の処理が終了する。そして、処理は上述した図１０のステップＳ３７へ進む。
【０１５５】
＜サーチ実行部１９３による代替局のサーチ処理＞
次に、放送受信装置１００のサーチ実行部１９３による代替局のサーチ処理について説明する。
【０１５６】
かかる代替局のサーチ処理は、図１２に示されるように、まず、ステップＳ５１において、サーチ実行部１９３が、処理管理部１９２から送られるサーチ指令を受けたか否かを判定する。この判定の結果が否定的であった場合（ステップＳ５１：Ｎ）には、ステップＳ５１の処理が繰り返される。
【０１５７】
ステップＳ５１の処理の繰り返し中に、サーチ実行部１９３がサーチ指令を受けて、ステップＳ５１における判定の結果が肯定的になると（ステップＳ５２：Ｙ）、処理はステップＳ５２へ進む。ステップＳ５２では、サーチ実行部１９３が、系列局サーチフラグＦＬＧA及びワンセグサーチフラグＦＬＧOを「ＯＦＦ」に設定する。また、サーチ実行部１９３は、中継局受信可リストＲＲＬ及び系列局受信可リストＡＲＬの内容をクリアする。さらに、サーチ実行部１９３は、記憶部１９１に記憶した放送局情報ＳＴＩの識別情報及び系列識別を、サーチ前識別情報及びサーチ前系列識別として読み取る。この後、処理はステップＳ５３へ進む。
【０１５８】
ステップＳ５３では、サーチ実行部１９３が、「第１決定処理」を行う。かかるステップＳ５３の処理の詳細については、後述する。そして、ステップＳ５３の処理が終了すると、処理はステップＳ５４へ進む。
【０１５９】
ステップＳ５４では、サーチ実行部１９３が、ステップＳ５３の第１決定処理で、代替局を決定したか否かを判定する。この判定の結果が肯定的であった場合（ステップＳ５４：Ｙ）には、処理は、後述するステップＳ５７へ進む。ステップＳ５４における判定の結果が否定的であった場合（ステップＳ５４：Ｎ）には、処理はステップＳ５５へ進む。ステップＳ５５では、サーチ実行部１９３が、「第２決定処理」を行う。かかるステップＳ５５の処理の詳細については、後述する。そして、ステップＳ５５の処理が終了すると、処理はステップＳ５６へ進む。
【０１６０】
ステップＳ５６では、サーチ実行部１９３が、ステップＳ５５の第２決定処理で、代替局を決定したか否かを判定する。この判定の結果が否定的であった場合（ステップＳ５６：Ｎ）には、処理は、ステップＳ５３へ戻る。一方、ステップＳ５６における判定の結果が肯定的であった場合（ステップＳ５６：Ｙ）には、処理はステップＳ５７へ進む。
【０１６１】
ステップＳ５７では、サーチ実行部１９３が、決定された代替局のチャンネルを、代替局チャンネル報告として処理管理部１９２へ送る。また、ステップＳ５７では、サーチ実行部１９３は、後述する第１決定処理又は第２決定処理において「ＯＮ」又は「ＯＦＦ」に設定した系列局サーチフラグＦＬＧA及びワンセグサーチフラグＦＬＧOを処理管理部１９２へ送る。さらに、ステップＳ５７では、サーチ実行部１９３は、記憶部１９１に記憶した放送局情報ＳＴＩの内容を、代替局の放送波のＮＩＴ情報から取得した識別情報及びＢＩＴ情報から取得した系列識別に更新する。そして、ステップＳ５７の処理が終了すると、サーチ実行部１９３により代替局のサーチ処理が終了する。
【０１６２】
《ステップＳ５３における第１決定処理》
次いで、上述したステップＳ５３における「第１決定処理」について説明する。
【０１６３】
この「第１決定処理」は、図１３に示されるように、まず、ステップＳ６１において、サーチ実行部１９３が、サーチリストＳＨＬの先頭（一行目）に登録されているチャンネルに対応する周波数をサーチ用選局周波数に指定する。引き続き、ステップＳ６２において、サーチ実行部１９３が、当該サーチ用選局周波数を指定したサーチ用選局要求を処理管理部１９２へ送る。こうしてサーチ用選局要求が処理管理部１９２へ送られると、処理管理部１９２が、当該サーチ用選局要求に従った選局指令ＣＳＬを生成し、ＲＦ処理ユニット１２０へ送る。この結果、サーチ実行部１９３は、サーチ用選局周波数の放送波についての検出値ＣＮＲ及びＰＳＩ情報、ＳＩ情報を取得する。この後、処理はステップＳ６３へ進む。
【０１６４】
ステップＳ６３では、サーチ実行部１９３が、検出値ＣＮＲ及びＰＳＩ情報、ＳＩ情報に基づいて、サーチ用選局周波数で選局された物理チャンネルに放送信号があるか否かを判定する。この判定の結果が否定的であった場合（ステップＳ６３：Ｎ）には、処理は、後述するステップＳ６６へ進む。
【０１６５】
ステップＳ６３における判定の結果が肯定的であった場合（ステップＳ６３：Ｙ）には、処理はステップＳ６４へ進む。このステップＳ６４では、サーチ実行部１９３が、「代替局決定処理」を行う。かかるステップＳ６４の処理の詳細については、後述する。そして、ステップＳ６４の処理が終了すると、処理はステップＳ６５へ進む。
【０１６６】
ステップＳ６５では、サーチ実行部１９３が、ステップＳ６４の代替局決定処理により、代替局を決定したか否かを判定する。この判定の結果が肯定的であった場合（ステップＳ６５：Ｙ）には、ステップＳ５３の処理が終了する。そして、処理は上述した図１２のステップＳ５４へ進む。
【０１６７】
ステップＳ６５における判定の結果が否定的であった場合（ステップＳ６５：Ｎ）には、処理はステップＳ６６へ進む。このステップＳ６６では、サーチ実行部１９３が、サーチリストＳＨＬにおける選局指定位置（選局指定行）が最後（最終行目）となっているか否かを判定する。この判定の結果が否定的であった場合（ステップＳ６６：Ｎ）には、処理はステップＳ６７へ進む。ステップＳ６７では、サーチ実行部１９３が、サーチリストＳＨＬにおける選局指定位置（選局指定行）を一つだけ下げる。この後、処理はステップＳ６２へ戻る。
【０１６８】
ステップＳ６６における判定の結果が肯定的となった場合（ステップＳ６６：Ｙ）には、ステップＳ５３の処理が終了する。そして、処理は上述した図１２のステップＳ５４へ進む。
【０１６９】
（ステップＳ６４における代替局決定処理）
次いで、ステップＳ６４における「代替局決定処理」について説明する。
【０１７０】
この「代替局決定処理」は、図１４に示されるように、まず、ステップＳ７１において、サーチ実行部１９３が、ＮＩＴ情報から取得したサーチ放送局の識別情報及び記憶部１９１に記憶したサーチ前識別情報に基づいて、「サーチ放送局」が「サーチ前放送局」の中継局であるか否かを判定する。この判定の結果が肯定的であった場合（ステップＳ７１：Ｙ）には、処理はステップＳ７２へ進む。ステップＳ７２では、サーチ実行部１９３が、放送波の受信品質が第１所定値以上であるか否かを判定する。この判定の結果が肯定的であった場合（ステップＳ７２：Ｙ）には、処理はステップＳ７３へ進む。
【０１７１】
ステップＳ７３では、サーチ実行部１９３が、現時点で選局しているサーチ放送局を、代替局に決定する。ステップＳ７３の処理が終了すると、ステップＳ６４の処理が終了する。そして、処理は上述した図１３のステップＳ６５へ進む。
【０１７２】
一方、ステップＳ７２における判定の結果が否定的であった場合（ステップＳ７２：Ｎ）には、処理はステップＳ７４へ進む。このステップＳ７４では、サーチ実行部１９３が、現在選局しているサーチ用選局周波数及び当該周波数に対応する物理チャンネルを、受信品質とともに、記憶部１９１の「中継局受信可リストＲＲＬ」に登録する。ステップＳ７４の処理が終了すると、ステップＳ６４の処理が終了する。そして、処理は上述した図１３のステップＳ６５へ進む。
【０１７３】
ステップＳ７１における判定の結果が否定的であった場合（ステップＳ７１：Ｎ）には、処理はステップＳ７５へ進む。このステップＳ７５では、サーチ実行部１９３が、ＢＩＴ情報から取得したサーチ放送局の系列識別及び記憶部１９１に記憶したサーチ前系列識別に基づいて、「サーチ放送局」が「サーチ前放送局」の系列局であるか否かを判定する。この判定の結果が否定的であった場合（ステップＳ７５：Ｎ）には、ステップＳ６４の処理が終了する。そして、処理は上述した図１３のステップＳ６５へ進む。
【０１７４】
一方、ステップＳ７５における判定の結果が肯定的であった場合（ステップＳ７５：Ｙ）には、処理はステップＳ７６へ進む。このステップＳ７６では、サーチ実行部１９３が、系列局サーチフラグＦＬＧAを「ＯＮ」に設定する。この後、処理はステップＳ７７へ進む。ステップＳ７７では、サーチ実行部１９３が、放送波の受信品質が第１所定値以上であるか否かを判定する。この判定の結果が肯定的であった場合（ステップＳ７７：Ｙ）には、上述したステップＳ７３へ進む。ステップＳ７３において、サーチ実行部１９３が、選局しているサーチ放送局を代替局に決定すると、ステップＳ６４の処理が終了する。そして、処理は上述した図１３のステップＳ６５へ進む。
【０１７５】
ステップＳ７７における判定の結果が否定的であった場合（ステップＳ７７：Ｎ）には、処理はステップＳ７８へ進む。このステップＳ７８では、サーチ実行部１９３が、現在選局しているサーチ用選局周波数及び当該周波数に対応する物理チャンネルを、受信品質とともに、記憶部１９１の「系列局受信可リストＡＲＬ」に登録する。ステップＳ７８の処理が終了すると、ステップＳ６４の処理が終了する。そして、処理は上述した図１３のステップＳ６５へ進む。
【０１７６】
《ステップＳ５５における第２決定処理》
次いで、上述したステップＳ５５における「第２決定処理」について説明する。
【０１７７】
この「第２決定処理」は、図１５に示されるように、まず、ステップＳ８１において、サーチ実行部１９３が、中継局受信可リストＲＲＬに周波数情報が登録されているか否かを判定することにより、受信可能な中継局があるか否かを判定する。この判定の結果が肯定的であった場合（ステップＳ８１：Ｙ）には、処理はステップＳ８２へ進む。
【０１７８】
ステップＳ８２では、サーチ実行部１９３が、ワンセグサーチフラグＦＬＧOを「ＯＮ」に設定する。引き続き、ステップＳ８３において、サーチ実行部１９３が、記憶部１９１の中継局受信可リストＲＲＬに登録されているチャンネルのうちから、受信品質が最も良好な物理チャンネルの放送局を、代替局に決定する。ステップＳ８３の処理が終了すると、ステップＳ５５の処理が終了する。そして、処理は上述した図１２のステップＳ５６へ進む。
【０１７９】
ステップＳ８１における判定の結果が否定的であった場合（ステップＳ８１：Ｎ）には、処理はステップＳ８４へ進む。このステップＳ８４では、サーチ実行部１９３が、系列局受信可リストＡＲＬに周波数情報が登録されているか否かを判定することにより、受信可能な系列局があるか否かを判定する。この判定の結果が否定的であった場合（ステップＳ８４：Ｎ）には、ステップＳ５５の処理が終了する。そして、処理は上述した図１２のステップＳ５６へ進む。
【０１８０】
ステップＳ８４における判定の結果が肯定的であった場合（ステップＳ８４：Ｙ）には、処理はステップＳ８５へ進む。ステップＳ８５では、サーチ実行部１９３が、ワンセグサーチフラグＦＬＧOを「ＯＮ」に設定する。引き続き、ステップＳ８６において、サーチ実行部１９３が、記憶部１９１の系列局受信可リストＡＲＬに登録されているチャンネルのうちから、受信品質が最も良好な物理チャンネルの放送局を、代替局に決定する。ステップＳ８６の処理が終了すると、ステップＳ５５の処理が終了する。そして、処理は上述した図１２のステップＳ５６へ進む。
【０１８１】
以上説明したように、本実施形態では、放送受信装置１００がＢ階層放送（１２セグ放送）を出力対象放送に選択している場合に、放送受信装置１００と通信装置３００との間で、放送通信連携システムにおける端末連携技術が機能する。こうした端末連携技術が機能する状態から、Ａ階層放送（ワンセグ放送）が出力対象放送に選択されると、処理管理部１９２は、「通信装置３００での通信コンテンツ情報の提示を一旦中止する」ことを内容とする提示制御情報を生成する。そして、処理管理部１９２は、当該提示制御情報を放送通信連携サービス実行部１９４へ送る。
【０１８２】
放送通信連携サービス実行部１９４は、当該情報の内容を反映したメッセージを含む映像データＩＤＴを生成すべき映像作成指令ＩＣＣを表示映像作成部１４５へ送る。そして、表示映像作成部１４５が、当該情報の内容を反映したメッセージを含む映像データＩＤＴを生成して、表示ユニット１７０へ送る。この結果、表示ユニット１７０の所定領域に、「通信装置３００での通信コンテンツ情報の提示を一旦中止する」とのメッセージが表示される。
【０１８３】
また、放送通信連携サービス実行部１９４は、当該提示制御情報を、インターフェイス１３５を介して、通信装置３００へ送信する。通信装置３００では、処理制御部３９０が、まず、提示制御情報の内容を反映したメッセージを含む映像データを生成して、表示部３７０へ送る。この結果、通信装置３００の表示部３７０における所定領域に、「通信コンテンツ情報の提示を一旦中止する」とのメッセージが表示される。そして、処理制御部３９０は、通信コンテンツ映像データの生成を一旦中止する。
【０１８４】
このため、階層放送の自動選択処理に起因して、端末連携技術が機能しなくなる場合に、当該技術が機能しなくなることを、利用者に認識させることができる。
【０１８５】
また、本実施形態では、通信装置３００での通信コンテンツ情報の提示が一旦中止中である状態から、Ｂ階層放送が出力対象放送に選択されると、処理管理部１９２は、「通信装置３００での通信コンテンツ情報の提示を再開する」ことを内容とする提示制御情報を生成する。そして、処理管理部１９２は、当該提示制御情報を放送通信連携サービス実行部１９４へ送る。
【０１８６】
この結果、表示ユニット１７０の所定領域に、「通信装置３００での通信コンテンツ情報の提示を再開する」とのメッセージが表示される。また、通信装置３００の表示部３７０における所定領域に、「通信コンテンツ情報の提示を再開する」とのメッセージが表示され、処理制御部３９０は、通信コンテンツ映像データを生成する。このため、階層放送の自動選択処理により、端末連携技術が機能する状態に戻る場合には、当該技術が機能することを、利用者に認識させることができる。
【０１８７】
また、本実施形態では、放送波の受信品質が第２所定値未満に低下すると、サーチ実行部１９３が希望放送局の代替局をサーチする。処理管理部１９２は、代替局（サーチ後放送局）がサーチ処理を行う前に選局していた放送局（サーチ前放送局）の中継局であり、かつ、サーチ後放送局の放送波の受信品質が第１所定値以上である場合には、「通信装置３００での通信コンテンツ情報の提示を再開する」ことを内容とする提示制御情報を生成する。そして、処理管理部１９２は、当該提示制御情報を放送通信連携サービス実行部１９４へ送る。
【０１８８】
この結果、表示ユニット１７０の所定領域に、「通信装置３００での通信コンテンツ情報の提示を再開する」とのメッセージが表示される。また、通信装置３００の表示部３７０における所定領域に、「通信コンテンツ情報の提示を再開する」とのメッセージが表示され、処理制御部３９０は、通信コンテンツ映像データを生成する。このため、自動サーチ処理により、代替局が中継局となり、端末連携技術が機能する状態に戻る場合には、当該技術が機能することを、利用者に認識させることができる。
【０１８９】
一方、サーチ後放送局がサーチ前放送局の中継局であり、かつ、サーチ後放送局の放送波の受信品質が第１所定値未満である場合には、処理管理部１９２は、「引き続き、通信装置３００での通信コンテンツ情報を中止する」ことを内容とする提示制御情報を生成する。
【０１９０】
この結果、表示ユニット１７０の所定領域に、「通信装置３００での通信コンテンツ情報の提示を中止する」とのメッセージが表示される。また、通信装置３００の表示部３７０における所定領域に、「通信コンテンツ情報の提示を中止する」とのメッセージが表示される。このため、自動サーチ処理により、代替局が中継局となり、端末連携技術が機能する状態に戻らない場合には、当該技術が機能しない状態が継続していることを、利用者に認識させることができる。
【０１９１】
また、本実施形態では、サーチ後放送局がサーチ前放送局の系列局である場合に、処理管理部１９２は、サーチ前放送局の放送番組及びサーチ後放送局の放送番組の同一性を判断する。そして、当該同一性がないと判断した場合には、処理管理部１９２は、「通信装置３００での通信コンテンツ情報の提示を完全中止する」ことを内容とする提示制御情報を生成する。
【０１９２】
この結果、表示ユニット１７０の所定領域に、「通信装置３００での通信コンテンツ情報の提示を完全中止する」とのメッセージが表示される。また、通信装置３００の表示部３７０における所定領域に、「通信コンテンツ情報の提示を完全中止する」とのメッセージが表示され、処理制御部３９０は、通信コンテンツ映像データを中止する。このため、自動サーチ処理により、代替局が系列局となり、サーチ前放送局の放送番組及びサーチ後放送局の放送番組の同一性がない場合には、端末連携技術が機能しないことを、利用者に認識させることができる。
【０１９３】
また、サーチ後放送局がサーチ前放送局の系列局であるときに、サーチ前放送局の放送番組及びサーチ後放送局の放送番組の同一性があると判断した場合には、処理管理部１９２は、サーチ後放送局の放送波の受信品質が第１所定値以上であるか否かを判定する。そして、当該放送波の受信品質が第１所定値以上である場合には、「通信装置３００での通信コンテンツ情報の提示を再開する」ことを内容とする提示制御情報を生成する。
【０１９４】
一方、サーチ後放送局の放送波の受信品質が第１所定値未満である場合には、「引き続き、通信装置３００での通信コンテンツ情報の提示を中止する」ことを内容とする提示制御情報を生成する。そして、処理管理部１９２は、当該提示制御情報を放送通信連携サービス実行部１９４へ送る。
【０１９５】
このため、自動サーチ処理により、代替局が中継局となり、端末連携技術が機能する状態に戻る場合には、当該技術が機能することを、利用者に認識させることができる。また、自動サーチ処理により代替局が中継局となり、端末連携技術が機能する状態に戻らない場合には、当該技術が機能しない状態が継続していることを、利用者に認識させることができる。
【０１９６】
したがって、本実施形態によれば、移動体である車両の現在位置が移動することにより端末連携技術が機能しなくなるときには、当該技術が機能しなくなることを利用者に認識させて、利用者が、放送通信連携システムの端末連携技術を快適に利用することができる。
【０１９７】
［実施形態の変形］
本発明は、上記の実施形態に限定されるものではなく、様々な変形が可能である。
【０１９８】
例えば、上記の実施形態では、代替局のサーチ処理の開始条件を、放送波の受信品質が第１所定値よりも低い第２所定値未満となることとした。これに対して、サーチ処理の開始条件を、第１所定値未満となること、又は、第１所定値よりもわずかに高い値を設定し、当該設定値未満となることにしてもよい。この場合には、階層選択処理により出力対象放送がＡ階層放送へ変更されるとき、又は、Ａ階層放送へ変更される前に、代替局のサーチ処理が開始されるため、上述した実施形態の動作と比べて、放送受信装置と通信装置との間で、端末連携技術が機能する状態の継続性を高めることができる。
【０１９９】
また、上記の実施形態では、ステップＳ３４，Ｓ４４において、第１種提示制御情報の生成処理を行うようにしたが、当該処理を行わなくても、ステップＳ１５において第１種提示制御情報の生成処理が行われるため、当該ステップＳ３４，Ｓ４４の処理を省略するようにしてもよい。
【０２００】
また、上記の実施形態では、代替局のサーチ処理の効率化を図るために、サーチリストの内容を、選局放送局の中継局リストを先頭にした。これに対して、地上デジタル放送に対応して、ＵＨＦ（Ultra High Frequency）における１３チャンネルから５２チャンネルまでが、順番に、チャンネルに対応する周波数ＦＱk（ｋ＝１３，…，５２）とともに登録されたリストを、サーチリストにしてもよい。
【０２０１】
また、上記の実施形態では、サーチ前放送局の放送番組及びサーチ後放送局の放送番組の同一性の判断に際して、放送番組の番組名及び番組内容情報に基づき、いずれか一方が同一であることを同一性の判断条件としたが、放送番組の番組名及び番組内容情報の両方が同一であることを同一性の判断条件にしてもよい。
【０２０２】
また、上記の実施形態では、放送受信装置は、通信コンテンツの取得・更新情報、アプリケーションファイル等を、近距離無線通信により通信装置へ送信することとした。これに対して、放送受信装置と通信装置との間を有線で接続し、放送受信装置は、通信コンテンツの取得・更新情報、アプリケーションファイル等を、有線により通信装置に送信するようにしてもよい。
【０２０３】
また、上記の実施形態においては、車両に配置される放送受信装置及び通信装置に本発明を適用したが、車両以外の他の移動体に配置される放送受信装置及び通信装置にも本発明を適用することもできるし、家庭内に配置される放送受信装置及び通信装置にも本発明を適用することができる。
【０２０４】
なお、上記の放送受信装置の制御ユニットの一部又は全部、並びに、通信装置の処理制御部の一部又は全部を中央処理装置（ＣＰＵ：Central Processing Unit）等を備えた演算手段としてのコンピュータとして構成し、予め用意されたプログラムを当該コンピュータで実行することにより、上記の実施形態における制御ユニット、処理制御部の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０２０５】
１００  …  放送受信装置
１２０  …  ＲＦ処理ユニット（受信処理部の一部）
１３５  …  インターフェイス（制御部の一部）
１４１  …  復調部（受信処理部の一部）
１４２  …  デマルチプレクサ部（受信処理部の一部）
１４３  …  放送コンテンツ処理部（受信処理部の一部）
１９２  …  処理管理部（制御部の一部）
１９３  …  サーチ実行部（探索部）
１９４  …  放送通信連携サービス実行部（制御部の一部）
３００  …  通信装置
３３０  …  無線通信部（第２取得部の一部）
３３５  …  インターフェイス（第１取得部の一部）
３９０  …  処理制御部（第１取得部の一部、第２取得部の一部）
【図１】
2020025274.tif 000003
【図２】
2020025274.tif 000004
【図３】
2020025274.tif 000005
【図４】
2020025274.tif 000006
【図５】
2020025274.tif 000007
【図６】
2020025274.tif 000008
【図７】
2020025274.tif 000009
【図８】
2020025274.tif 000010
【図９】
2020025274.tif 000011
【図１０】
2020025274.tif 000012
【図１１】
2020025274.tif 000013
【図１２】
2020025274.tif 000014
【図１３】
2020025274.tif 000015
【図１４】
2020025274.tif 000016
【図１５】
2020025274.tif 000017